(57)【要約】【課題】  地球温暖化対策として、中規模ビルの壁面を緑化するのに、風等に影響されることなく、安定した状態で、設置、操作が行え、しかも、設置、操作は地上で容易に行うことができる。【解決手段】  植物を植え付けた複数の植栽ネットユニット３を外壁面４に沿って上下に設置してなる壁面緑化装置１であって、所定の間隔をもって位置し、緊張した状態で同一方向に昇降自在とした索条としてのワイヤーロープ３５に棒状体による吊り支材３６を架設し、該吊り支材３６で植栽ネットユニット３を吊り下げた。【選択図】        図１
2007202473.tif 000002
【特許請求の範囲】
【請求項１】
複数の植栽ネットユニットを壁面に沿って上下に設置してなる壁面緑化装置であって、所定の間隔をもって位置し、緊張した状態で同一方向に昇降自在とした索条に吊り支材を架設し、該吊り支材で植栽ネットユニットを吊り下げたことを特徴とする壁面緑化装置。
【請求項２】
索条は、架設した吊り支材を昇降自在とする揚重架設機構を介在させると共に、当該装置の上部および下部に設置した滑車により巻回されている請求項１記載の壁面緑化装置。
【請求項３】
揚重架設機構は、チルクライマー、チルホール、または駆動ユニットである請求項２記載の壁面緑化装置。
【請求項４】
索条は、当該装置の下部において交差する無端索条である請求項１ないし請求項３のいずれかに記載の壁面緑化装置。
【請求項５】
請求項１ないし請求項４のいずれかに記載の壁面緑化装置を用いる壁面緑化システムであり、植栽ネットユニットは、植え付けた植物をラックに掛けた状態で育成した後、ラックから取り外して当該装置に設置することを特徴とする壁面緑化システム。
【請求項６】
ラックは移動手段を備えている請求項５記載の壁面緑化システム。
【発明の詳細な説明】
【技術分野】
【０００１】
本発明は、壁面緑化装置およびそれを用いる壁面緑化システムに関するものである。
【背景技術】
【０００２】
近年、建物のコンクリートから放出される熱によって起こるヒートアイランド現象が都市部等において大きな問題となっている。そこで、このようなヒートアイランド現象を抑制するために、建物や工作物の壁面に対して緑化が実施されている。これは、建物や工作物の壁面に対して植物を施すことで、意匠性の向上や太陽光線の照り返しの緩和を目的に設置されている。
【０００３】
建築物や工作部の壁面に面的な緑化を図る従来技術としては、大きく、地上部分に植栽を施して植物を壁面に沿って登攀させる方法、屋上部分に植栽を施して植物を壁面に沿って下垂させる方法、壁面に植物を植え付ける植栽用培地を設けて、登攀または下垂させる方法の３つがあり、さらに、壁面に沿って登攀させる方法にも、直接直物を登攀させる方式、メッシュ状またはネット状の緑化支持材を設置し、この緑化支持材に植物を登攀あるには下垂させる方式、上部からプランターなどに植栽し、下垂する方式、ブロック状のプランターを積上げる方式、パネル状の緑化基盤を壁面に直接固定する方式などを挙げることができる。
【０００４】
下記特許文献も植物が植えられた複数の植栽ユニットを壁面に沿って上下に設置してなる壁面緑化装置であって、図１６に示すように、壁面緑化装置１０は、建物２の外壁面４に沿って配置された、植物１４が植生された複数の植栽ユニット１２を備えている。
【０００５】
各植栽ユニット１２は、上から順に吊り部材１６を介して順次吊下げられて相互に連結されている。最上部の植栽ユニット１２は、ワイヤー１８により建物２の屋上部６のパラペット７に固定されている。建物２の屋上部６には、当該ワイヤー１８の繰り出し及び巻き取りを行って植栽ユニット１２を昇降させる昇降装置３０が設置されている。また、最下段の植栽ユニット１２は、地上部８に対して適当な定着部材１９を介して接続されている。
【０００６】
また、植栽ユニット１２と建物２の外壁面４との間には、植栽ユニット１２を外壁面４に固定するための固定部材２０が配置されている。また、この壁面緑化装置１０には、上方から下方にかけて防護ネット２２が設置されて、植栽ユニット１２を外側から覆って保護するようになっている。
【特許文献１】特開２００４−２４８５５０（壁面緑化装置および壁面緑化方法）
【０００７】
この特許文献１にあっては、図１７に示すように、まず、同図（Ａ）に示すように、建物２の屋上部６に設置された昇降装置３０から繰り出されたワイヤー１８を建物２の地上部まで垂れ下げて、その垂れ下げられたワイヤー１８の下端部に植栽ユニット１２を取り付ける。
【０００８】
次に、同図（Ｂ）に示すように、ワイヤー１８を昇降装置３０により巻き上げて植栽ユニット１２を若干上昇させる。そして、上昇した植栽ユニット１２の下方に吊り部材１６を介して別の植栽ユニット１２を吊下げて連結する。
【０００９】
そして、再度、昇降装置３０によりワイヤー１８を巻き上げて植栽ユニット１２を若干上昇させて、同図（Ｃ）に示すように、下端の植栽ユニット１２の下側に、さらに別の植栽ユニット１２を吊り部材１６を介して吊下げて連結する。
【００１０】
このようにしてワイヤー１８を徐々に巻き上げながら、次々に植栽ユニット１２を吊下げてゆき、最終的に、同図（Ｄ）に示すように、最下段の植栽ユニット１２を定着部材１９を介して地上部８に固定して設置作業を完了させる。
【００１１】
また、この壁面緑化装置１０を撤去する場合には、昇降装置３０によりワイヤー１８を順次繰り出してゆき、地上部において順次植栽ユニット１２を取り外してゆく作業を行う。
【００１２】
なお、壁面緑化装置１０に対して、例えば刈り込みや補修、病害虫対策等のメンテナンスを行う場合も、前述した撤去の場合と同様に、昇降装置３０により植栽ユニット１２を地上に降ろしてメンテナンス作業を行うことができる。
【発明の開示】
【発明が解決しようとする課題】
【００１３】
前記特許文献１の壁面緑化装置および壁面緑化方法では、植栽ユニット１２はワイヤー１８で垂れ下げられながら設置されるものの、最下段の植栽ユニット１２を定着部材１９を介して地上部８に固定するまでは非常に不安定な状態である。
【００１４】
また、昇降装置３０は建物２の屋上部６に設置されているので、昇降操作やメンテナンスは屋上部の高所で行わなければならない。
【００１５】
本発明の目的は前記従来例の不都合を解消し、地球温暖化対策として、中規模ビルの壁面を緑化するのに、風等に影響されることなく、安定した状態で、設置、操作が行え、しかも、設置、操作は地上で容易に行うことができる壁面緑化装置およびそれを用いる壁面緑化システムを提供することにある。
【課題を解決するための手段】
【００１６】
前記目的を達成するため、請求項１記載の本発明は、複数の植栽ネットユニットを壁面に沿って上下に設置してなる壁面緑化装置であって、所定の間隔をもって位置し、緊張した状態で同一方向に昇降自在とした索条に吊り支材を架設し、該吊り支材で植栽ネットユニットを吊り下げたことを要旨とするものである。
【００１７】
請求項１記載の本発明によれば、植物を這わせた複数の植栽ネットユニットは吊り支材により吊られて、左右に位置する索条で昇降させることができ、吊り支材を地上近くに位置させ、これに植栽ネットユニットを取り付け、索条を介して吊り支材を上昇させることで植栽ネットユニットを順次吊り下げることができる。特に吊り支材は両サイドの索条の間隔を一定に保持する間隔保持部材として作用する。そして、この索条の昇降を地上での操作で行うようにすれば、設置、操作は容易に行うことができる。
【００１８】
しかも、吊り支材は緊張した左右に位置する索条で昇降するので、風等があってもぶれることなく安定した状態で植栽ネットユニットを設置できる。設置後も同様であり、緊張した左右に位置する索条で保持され、安定した状態を維持できる。
【００１９】
また、植栽ネットユニットを撤去する場合には、吊り支材を下降させ、地上部において順次植栽ネットユニットを取り外してゆく作業を行う。
【００２０】
さらに、例えば刈り込みや追肥や補修、病害虫対策等のメンテナンスを行う場合も、前述した撤去の場合と同様に、吊り支材を下降させ、地上部においてメンテナンス作業を行うことができる。
【００２１】
請求項２〜請求項４記載の本発明は、第１に、索条は、架設した吊り支材を昇降自在とする揚重架設機構を介在させると共に、当該装置の上部および下部に設置した滑車により巻回されていること、第２に、揚重架設機構は、チルクライマー、チルホール、または駆動ユニットであること、第３に  索条は、当該装置の下部において交差する無端索条であることを要旨とするものである。
【００２２】
請求項２記載の本発明によれば、前記請求項１の作用と同様であるが、左右に位置する索条を緊張した状態で同一方向に昇降自在とするのに、索条は無端状態として、滑車によるガイドローラーと揚重架設機構であるチルクライマーまたはチルホールもしくは駆動ユニットにより簡単かつ確実に行うことができる。また、索条は無端状態なので、巻き取りが不要であり、自由に移動状態の制御が可能となる。さらに、チルクライマーまたはチルホールもしくは駆動ユニットにより索条を昇降自在とするので、地上部からの操作をもって行うことができる。
【００２３】
さらに、植栽ネットユニットは、吊り支材から垂下するネット取付用チェーンに取り付けることで、このネット取付用チェーンにそって安定した状態で支持される。また、ネット取付用チェーンは適宜索条に塩ビのタイ等で結合しておけば、より安定性を確保でき、強風にも対処できる。
【００２４】
請求項５記載の本発明は、請求項１ないし請求項４のいずれかに記載の壁面緑化装置を用いる壁面緑化システムであり、植栽ネットユニットは、植え付けた植物をラックに掛けた状態で育成した後、ラックから取り外して当該装置に設置することを要旨とするものである。また、請求項６記載の本発明は、ラックは移動手段を備えていることを要旨とするものである。
【００２５】
請求項５および請求項６記載の本発明によれば、植栽ネットユニットの植物の育成から壁面への設置までをラックを用いることで、効率的に行うことができる。さらに、日常のメンテ時には植栽ネットユニットを空ラックに一時取り込むことにより地上で行うことができる。
【００２６】
さらに、寒さに弱い植物でもラック全体をビニールで囲い、養生を行い、四季に合わせて部分的にチェンジすることもできる。
【発明の効果】
【００２７】
以上述べたように本発明の壁面緑化装置およびそれを用いる壁面緑化システムは、地球温暖化対策として、中規模ビルの壁面を緑化するのに、風等に影響されることなく、安定した状態で、設置、操作が行え、しかも、設置、操作は地上で容易に行うことができるものである。
【発明を実施するための最良の形態】
【００２８】
以下、図面について本発明の実施形態を詳細に説明する。図１は本発明の壁面緑化装置１の第１実施形態を示す正面図、図２は同上側面図、図３は同上平面図で、本発明は植物１４を植え付けた複数の植栽ネットユニット３（図７、８参照）を建物２の外壁面４に沿って上下に設置してなる壁面緑化装置１である。
【００２９】
先に植栽ネットユニット３について述べると、植物１４の地下部（根）が収容される植栽容器としての根鉢１５と、この根鉢１５から植物１４の地上部が登攀・支持する緑化支持材としてのネット５とからなり、外壁面４を大きく覆えるものであれば特にその構造を問わないが、一例として図７、図８に示すように、１ユニットとしてはネット５の下端にネット幅方向に伸びる横向きの円筒形または半円筒形のボーダー型の根鉢１５を取り付けたものである。また植栽ユニット３に植え付ける植物１４としては、典型的にはつる植物、例えばモッコウバラ、カズラ、ヘデラ類、クレマチス類、ツタ（ナツヅタ）があげられる。つる植物以外にも小低木（タケ、シラカシ等）であってもよい。これら植物は常緑性、落葉性のいかんを問わない。
【００３０】
また、１ユニット毎に上下または左右に繋げて複数ユニットで全体を形成する。
【００３１】
根鉢１５は一例として、図８に示すように補強リングを兼ねるステンレス製の金属フレーム１７と１０ｍ／ｍのナイロンネットによるカバーネット２６とで円筒形に形成し、その内部に軽量砕石２３およびヤシマット２１を配設した。ヤシマット２１はフレーム１７のリング毎に分割されており、植替え時等には上部を開き作業をする。作業後は両側のカバーネット２６を頂部で結束し、円筒に戻す．
【００３２】
前記根鉢１５の内部には軽量土壌２４（例えば、商品名エコソイル）を充填し、その上部には灌水手段としての水遣りパイプ２５を配置する。この水遣りパイプ２５は図示しない貯水槽や制御弁等を備えた灌水設備に接続されている。
【００３３】
ネット５は、合成樹脂製ロープを縦横に編込んだ網状構造からなるが、ネット５を形成する網状構造は、特に限定されるものではなく、正方形、ひし形のほか、円形、長方形、三角形、その他、ランダムな形状を形成していてもよい。
【００３４】
またネット５の網状構造として、結節部を有する網状構造に限定されず、無結節網、ラッセル網、蛙又網等を用いてもよい。
【００３５】
さらに、所定間隔を置いて比較的径の大きい強化ロープ（支持部材）を備えたり、スチールワイヤー２７を付設したものでもよい。
【００３６】
前記根鉢１５はネット５の下端に取り付けられる。そして、植栽ネットユニット３自体は、後述のように、吊り支材３６により吊られたネット取付用チェーン２８に取付けられる。
【００３７】
この植栽ネットユニット３を外壁面４に沿って上下に設置してなる装置として、図１に示すように、所定の間隔をもって位置し、緊張した状態で同一方向に昇降自在とした一対の索条としてのワイヤーロープ３５に棒状体の吊り支材３６を架設し、該吊り支材３６に植栽ネットユニット３を吊り下げる。
【００３８】
前記ワイヤーロープ３５を所定の間隔をもって位置させ、緊張した状態で同一方向に昇降自在とする方法の１つとして、壁面緑化装置１の上部側となる屋上部６のパラペット７から壁面緑化装置１の左右方向に位置させる上部ガイドローラー３１ａ，３１ｂを下向きに設けたステージ３２を軸着状態で吊下げ（図１、２参照）、また、壁面緑化装置１の下部側となる地上部には左右および前後方向に位置させる下部ガイドローラー３３ａ，３３ｂ，３４ａ，３４ｂを設置する（図３参照）。
【００３９】
そして、滑車としてのこれら上部ガイドローラー３１ａ，３１ｂと下部ガイドローラー３３ａ，３３ｂ，３４ａ，３４ｂとにワイヤーロープ３５を無端状態で掛け渡し、さらに、下部ガイドローラー３３ａ，３３ｂ，３４ａ，３４ｂの間では水平補助ガイドローラー３７ａ，３７ｂ、垂直補助ガイドローラー３８ａ，３８ｂを介在させるとともにワイヤーロープ３５の途中にチルクライマー３９を介在させてワイヤーロープ３５を導く。チルクライマー３９は壁面緑化装置１の下部側地上部に近い位置に設置する。
【００４０】
水平補助ガイドローラー３７ａ，３７ｂは、下部ガイドローラー３３ａ（３４ｂ）から３４ｂ（３３ａ）へ、３３ｂ（３４ａ）から３４ａ（３３ｂ）へ巻回するワイヤーロープ３５を交差させるためのものであり（図３参照）、壁面緑化装置１の、左右に位置する下部ガイドローラー３３ａ，３３ｂと、３４ａ，３４ｂとはそれぞれ、その上部に位置する上部ガイドローラー３１ａ，３１ｂに対してワイヤーロープ３５を上下方向で往復させる（図１、２参照）。
【００４１】
このようにして、下部ガイドローラー３３ａと上部ガイドローラー３１ａ、下部ガイドローラー３３ｂと上部ガイドローラー３１ｂとの間のワイヤーロープ３５に前記吊り支材３６が架設される。
【００４２】
図中４０はシャックル、４１はより戻し用のダブルリング（後述の図９では省略）で、これらは吊り支材３６をワイヤーロープ３５を結合するためのものである。また、ワイヤーロープ３５の途中に巻上げ上限ストライカー４２ａ、巻下げ下限ストライカー４２ｂを取り付け、これらに対応する巻上げ上限リミットスイッチ４３ａ、巻下げ下限リミットスイッチ４３ｂを前記ステージ３２に設置して、ワイヤーロープ３５の巻上げ、または巻下げによる吊り支材３６の行過ぎを防止した。
【００４３】
吊り支材３６と植栽ネットユニット３との関係は、図７、図９にも示すように、吊り支材３６にネット取付用チェーン２８を垂下し、このネット取付用チェーン２８が植栽ネットユニット３の左右に位置するものとして、これに植栽ネットユニット３のネット５の部分を結合させる。図７中、２８ａはナットでのオープンリングとしての上下接続用の主ジョイント用リング、２８ｂはナットを備えたネット取付用リングとしてのリングキャッチである。他の本体部分はステンレスの一般用チェーンを使用した。
【００４４】
図４〜図６は本発明の第２実施形態を示すもので、前記電動のチルクライマー３９に代えて手動のチルホール４４をワイヤーロープ３５の途中に組み込んだ。このチルホール４４は地上近くで、地上で操作可能な位置に設けるものとする。
【００４５】
なお、この第２実施形態の場合は垂直補助ガイドローラー３８ａ，３８ｂは不要であるが、後の構成は前記第１実施形態と同じである。
【００４６】
このようにして、チルクライマー３９またはチルホール４４を操作することで、ワイヤーロープ３５が循環し、吊り支材３６が上下動する。
【００４７】
まず、吊り支材３６を地上付近まで下げて、これに第１番目の植栽ネットユニット３を吊り下げ、チルクライマー３９またはチルホール４４により吊り支材３６を上昇させて、若干上昇させた植栽ネットユニット３に連結し、別の植栽ネットユニット３を吊下げて連結する。
【００４８】
そして、再度、チルクライマー３９またはチルホール４４により若干植栽ネットユニット３を上昇させて、下端の植栽ネットユニット３の下側に、さらに別の植栽ネットユニット３を連結する。
【００４９】
このようにして吊り支材３６を徐々に上昇させながら、次々に植栽ネットユニット３を吊り下げてゆき、最終的に、植栽ネットユニット３が建物２の外壁面４を覆うようになったらチルクライマー３９またはチルホール４４の運転を停止して設置作業を完了させる。
【００５０】
また、植栽ネットユニット３を撤去する場合には、吊り支材３６を下降させて、地上付近において順次植栽ネットユニット３を取り外してゆく作業を行う。
【００５１】
さらに、植栽ネットユニット３の植物１４に対して、例えば刈り込みや補植、病害虫対策等のメンテナンスを行う場合も、前述した撤去の場合と同様に、チルクライマー３９またはチルホール４４により植栽ネットユニット３を地上の移動及びメンテ用ラックに降ろしてメンテナンス作業を行うことができる。
【００５２】
植栽ネットユニット３はあらかじめ根鉢１５に植物１４の種子や苗等を植え付けて生長させた植物１４、例えばつる植物をネット５に登攀・支承させておくことが望ましい。このように植物１４を温室等の別の場所において十分に育成した状態となった後に、植栽ネットユニット３を建物２の外壁面４に設置する。
【００５３】
そこで、図１０に示すようにパイプ等で枠組んだハンガーラック５０を育成用ラックとして使用し、これに植栽ネットユニット３を吊り下げ固定部材としてのフック５１により吊下げ固定して植物を育成させる。ハンガーラック５０は直方体枠に間柱管５０ａとこれに直交する複数の吊り下げ用梁管５０ｂとを組み込んだものであり、植栽ネットユニット３を該吊り下げ用梁管５０ｂに吊るし、該間柱管５０ａに固定することで、複数の植栽ネットユニット３の植物１４を同時に育成可能である。また、温室等の栽培施設における効率的な育成管理にも好適である。
【００５４】
植物を育成した植栽ネットユニット３が得られたならば、これを図１１に示すような移動およびメンテ用ラック５２に掛けた状態で移動する。移動およびメンテ用ラック５２は前記育成用のハンガーラック５０と同じくパイプ等で枠組んだものであり、下部に移動手段としてのキャスター５３を有し、また、梯子５４を組み込んだ点が相違する。
【００５５】
また、この移動およびメンテ用ラック５２は複数の吊り下げ用梁管５２ｂは前後面の開口面に対して直交する向きで架設させた点で前記育成用のハンガーラック５０とは異なり、この吊り下げ用梁管５２ｂに沿って吊下げ固定部材５１を介して植栽ネットユニット３を移動させ、吊り下げたままで端部の開口面までもってくることができる。
【００５６】
このようにして、育成用のハンガーラック５０において植栽ネットユニット３の植物を育成し、これを移動およびメンテ用ラック５２に移し替えて、建物２まで移動し、さらに、この移動およびメンテ用ラック５２から外して吊り支材３６に吊り下げる。なおラック５０、５２は同一のものとしてもよい。
【００５７】
なお、第３実施形態として、図１２〜図１４に示すように、前記ワイヤーロープ３５をチェーンによるチェーンワイヤー３５′に変えてもよい。チェーンワイヤー３５′はチェーン用の動力伝達ローラー４７に巻回し、さらに、途中には固定用ワイヤー錠４６もしくはチェーンを挟み込むタイプのチェーン固定用ボックス４６ｂとからなる。この固定用ワイヤー錠４６は図１５に示すようにチェーン４６ａとこれを挟み込むチェーン固定用ボックス４６ｂとからなる。
【００５８】
動力伝達ローラー４７の駆動は、駆動方式を可搬式電動モーター４８による移動式のモーターユニットとそれを受けるウォームギヤー４９によるギヤーボックスのセットで行う。
【００５９】
このように、ギアにウォームギヤーを採用することにより植栽ネットユニットからの加重を止め、安全な昇降を確保する。日常は固定用ワイヤー錠により固定を確保する。特に安全を必要とする場合には、前記チェーン固定用ボックス４６ｂによるロック装置を付け、施錠するようにしたものである。
【図面の簡単な説明】
【００６０】
【図１】本発明の壁面緑化装置の第１実施形態を示す正面図である。
【図２】本発明の壁面緑化装置の第１実施形態を示す側面図である。
【図３】本発明の壁面緑化装置の第１実施形態を示す平面図である。
【図４】本発明の壁面緑化装置の第２実施形態を示す正面図である。
【図５】本発明の壁面緑化装置の第２実施形態を示す側面図である。
【図６】本発明の壁面緑化装置の第２実施形態を示す平面図である。
【図７】植栽ネットユニットの斜視図である。
【図８】植栽ネットユニットの根鉢部分の断面図である。
【図９】吊り支材のネット取付用チェーン部分を示す正面図である。
【図１０】育成用のハンガーラックの斜視図である。
【図１１】移動およびメンテ用ラックの斜視図である。
【図１２】本発明の壁面緑化装置の第３実施形態を示す正面図である。
【図１３】本発明の壁面緑化装置の第３実施形態を示す平面図である。
【図１４】本発明の壁面緑化装置の第３実施形態を示す側面図である。
【図１５】ロック装置の説明図である。
【図１６】従来例を示す側面図である。
【図１７】従来例を示す説明図である。
【符号の説明】
【００６１】
１…壁面緑化装置                  ２…建物
３…植栽ネットユニット            ４…外壁面
５…ネット                        ６…屋上部
７…パラペット                    ８…地上部
１０…壁面緑化装置                １２…植栽ユニット
１３…合成樹脂製樋状体            １４…植物
１５…根鉢                        １６…吊り部材
１７…金属フレーム                １７ａ…開閉可能部
１８…ワイヤー
１９…定着部材                    ２０…固定部材
２１…ヤシマット                  ２２…防護ネット
２３…軽量砕石                    ２４…軽量土壌
２５…灌水手段（水遣りパイプ）    ２６…カバーネット
２７…スチールワイヤー            ２８…ネット取付用チェーン
２８ａ…主ジョイント用リング      ２８ｂ…リングキャッチ
３０…昇降装置                    ３１ａ，３１ｂ…上部ガイドローラー
３２…ステージ
３３ａ，３３ｂ，３４ａ，３４ｂ…下部ガイドローラー
３５…ワイヤーロープ              ３５′…チェーンワイヤー
３６…吊り支材
３７ａ，３７ｂ…水平補助ガイドローラー
３８ａ，３８ｂ…垂直補助ガイドローラー
３９…チルクライマー              ４０…シャックル
４１…ダブルリング                ４２ａ…巻上げ上限ストライカー
４２ｂ…巻下げ下限ストライカー
４３ａ…巻上げ上限リミットスイッチ
４３ｂ…巻下げ下限リミットスイッチ
４４…チルホール                  ４５…ジョイント用リング
４６…固定用ワイヤー錠            ４６ａ…チェーン
４６ｂ…チェーン固定用ボックス    ４７…動力伝達ローラー
４８…可搬式電動モーター          ４９…ウォームギヤー
５０…ハンガーラック              ５０ａ…間柱管
５０ｂ…吊り下げ用梁管            ５１…吊り下げ固定部材（フック）
５２…移動およびメンテ用ラック    ５２ｂ…吊り下げ用梁管
５３…移動手段（キャスター）      ５４…梯子
【図１】
2007202473.tif 000003
【図２】
2007202473.tif 000004
【図３】
2007202473.tif 000005
【図４】
2007202473.tif 000006
【図５】
2007202473.tif 000007
【図６】
2007202473.tif 000008
【図７】
2007202473.tif 000009
【図８】
2007202473.tif 000010
【図９】
2007202473.tif 000011
【図１０】
2007202473.tif 000012
【図１１】
2007202473.tif 000013
【図１２】
2007202473.tif 000014
【図１３】
2007202473.tif 000015
【図１４】
2007202473.tif 000016
【図１５】
2007202473.tif 000017
【図１６】
2007202473.tif 000018
【図１７】
2007202473.tif 000019